(57)【要約】【課題】  板材の外側からの水の浸入を阻止するとともに板材を確実に建物の躯体に固定する。【解決手段】  建物の躯体２４に壁下地材（板材）１３を固定する釘およびこれを用いる壁下地材の固定構造であって、釘１はこの頭部下面４から首部５にかけて、その外面にシーリング剤１０が付着され、この釘１を壁下地材の表面１４から打ち込んで建物の躯体２４に固定する。釘１を壁下地材１３の表面に打ち込むときに、打ち込みの抵抗は小さく打ち込み易い。さらに、釘１を打ち込みすることによりシーリング剤１０は釘の頭部下面４と壁下地材１３との間に押し出され適正量のシーリング剤１０が挟まれる。【選択図】              図２
2006226344.tif 000002
【特許請求の範囲】
【請求項１】
釘の頭部下面から首部にかけて、その表面にシーリング剤を付着させてなる釘。
【請求項２】
建物の躯体に板材を固定する板材の固定構造であって、釘の頭部下面から首部にかけて、その表面にシーリング剤を付着させた釘を前記板材の表面から打ち込んで前記板材を前記躯体に固定してなる板材の固定構造。
【発明の詳細な説明】
【技術分野】
【０００１】
本発明は、釘およびこれを用いて壁下地材などの板材を建物の躯体に固定する板材の固定構造に関する。
【背景技術】
【０００２】
従来、建物の壁下地材などの板材を固定する釘としては、たとえば、下記特許文献１に記載されたものが知られている。この釘は、その表面略全体または先端部に、シーリング剤を付着させたものである。
【特許文献１】特開平１−２６９７０７号公報
【発明の開示】
【発明が解決しようとする課題】
【０００３】
しかしながら、従来の釘は、シーリング剤を釘の表面略全体または先端部に付着させている。シーリング剤が釘の表面略全体に付着している場合は、この釘を用いて壁下地材などの板材を建物の躯体に固定したときに、付着しているシーリング剤が釘の頭部下面と壁下地材との間に過剰に集積し挟まれる。シーリング剤が過剰に集積し挟まれると、釘の頭部が板材を押える力が弱くなり、板材を建物の躯体に確実に固定することができないおそれがある。
【０００４】
また、シーリング剤が釘の先端部のみに付着している場合は、この釘を壁下地などの板材表面に打ち込んだときに、シーリング剤が釘の胴部を移動する距離が長くなり、かつシーリング剤も少ないので、シーリング剤の剥離や釘の頭部下面と板材との間に集積されるシーリング剤が過少になり、板材の外側からの水の浸入を阻止することができないおそれがある。
【０００５】
本発明が解決しようとする課題は、板材の外側からの水の浸入を阻止するとともに板材を確実に建物の躯体に固定することである。
【課題を解決するための手段】
【０００６】
上記課題を解決するため本発明は、釘の頭部下面から首部にかけて、その表面にシーリング剤を付着させてなることを特徴とする。
【０００７】
このようにすることにより、釘はその頭部下面から首部にかけて、その表面にシーリング剤が付着し、かつ釘の胴部および先端部にはシーリング剤が付着していない。したがって、この釘を板材の表面に打ち込むときに、打ち込みの抵抗が小さく打ち込み易い。さらに、釘を打ち込み、最終的に釘の首部を打ち込む段階においてはシーリング剤が釘の首部から頭部下面側に押し出され、頭部下面と板材との間に適正量のシーリング剤が挟まれ、かつシーリング剤は釘の頭部の周囲に環状に挟まれる。この状態においては過剰のシーリング剤が釘の頭部下面と板材との間に付着しないので、板材を確実に建物の躯体に固定するとともに板材の外側からの水の浸入を阻止する。
【０００８】
また、本発明は、建物の躯体に板材を固定する板材の固定構造であって、釘の頭部下面から首部にかけて、その表面にシーリング剤を付着させた釘を前記板材の表面から打ち込んで前記板材を前記躯体に固定してなることを特徴とする。
【０００９】
このようにすることにより、適正量のシーリング剤が釘の頭部下面と板材との間に挟まれているので、板材を確実に建物の躯体に固定するとともに板材の外側からの水の浸入を阻止する。
【００１０】
次に本発明を構成する各要件についてさらに詳しく説明する。本発明の釘は、一般に使用される釘（ＪＩＳ  Ａ５５０８−１９９２）で頭部、首部、胴部および先端部からなる。頭部の形状は平頭フラット、平頭網目付き、丸頭、皿頭網目付きなどである。頭部下面の形状は、頭部上端面（または胴部を垂直に横断する面）に対して２５度以上の逆円錐面の一部またはこの逆円錐面と胴部側面とに接する曲面とする。胴部の形状はスムース、スクリュウー、リングなどを含む。釘の材質は、鉄、ステンレス鋼などの金属である。釘の材質や大きさの選定は、その使用目的、板材の厚さなどにより、たとえば厚さ７．５〜１５ｍｍの合板を鉄丸釘で固定する場合は、合板の板厚に応じて長さ３８〜６５ｍｍ（Ｎ３８〜Ｎ６５）などを使用する。
【００１１】
釘におけるシーリング剤の付着させる範囲は、頭部下面から首部にかけてである。具体的には、首部の頭部側端からシーリング剤の付着先端までの長さが釘胴部の半径相当寸法から直径相当寸法の範囲内になるようにすることを目安とする。こうすることにより、釘の首部を最終的に打ち込むときにシーリング剤が頭部下面に沿って押し出され釘の頭部と板材との間に適正量のシーリング剤が挟まれる。
【００１２】
首部におけるシーリング剤の付着長さが釘の胴部直径相当寸法を越える場合には、この釘を打ち込んだ際に釘の頭部下面と板材との間に過剰なシーリング剤が挟まれるので、釘の板材を押える力が不足する。首部におけるシーリング剤の付着長さが釘の胴部半径相当寸法未満の場合には、この釘を打ち込んだ際に釘の頭部下面と板材との間に挟まれるシーリング剤が過少であるので、水の浸入を阻止することができないおそれがある。
【００１３】
また、釘に付着させるシーリング剤の膜厚は、０．０５〜１．０ｍｍを目処とする。膜厚が０．０５ｍｍ未満の場合はシーリング剤が不足し、板材の外側からの水の浸入を阻止することができない。膜厚が１．０ｍｍを越える場合はシーリング剤が過剰になり、釘の頭部が板材を押し付ける力が弱く、板材を確実に固定することができない。
【００１４】
シーリング剤としては、釘の表面に必要以上に強固に付着せず、かつ釘の打ち込みによって釘頭部側に押し出されるものを選定し、たとえば合成樹脂、合成ゴム、ゴム化アスファルトなどを使用すると良い。合成樹脂としては、塩化ビニール樹脂、酢酸ビニール樹脂、ウレタン樹脂などを使用する。
【００１５】
板材は、外壁用下地材などで木質系台板から形成される。台板としては合板、繊維板（ミディアムデンシティファイバーボード（ＭＤＦ）またはハードファイバーボード）などを使用するが、この表面に防水層、無機質凹凸層をこの順に設けると良い。建物の躯体は、外壁の場合は柱、間柱が相当するが通気受け材などを介在させても良い。
【００１６】
本発明のシ−リング剤を付着させた釘を用いて板材を躯体に固定する場合、本発明の釘を複数本互いに平行に並べて連結した釘群を利用して連続釘打ち機などで打ち込むようにすると施工性が向上する。
【発明の効果】
【００１７】
本発明によれば、この釘を打ち込んだときに、釘の頭部下面と板材との間に適正量のシーリング剤が押し込まれるので、釘と板材の間の隙間に水が浸入することを阻止するとともに板材を確実に建物の躯体に固定することができる。また、本発明の釘は、その胴部および先端部にはシーリング剤が付着していないので打ち込みが容易である。
【発明を実施するための最良の形態】
【００１８】
以下、本発明に係る釘およびこれを用いた板材の固定構造の実施形態を図面に基いて詳細に説明する。なお、図１、２において、同一または同等部分には同一符号を付けて示す。
【実施例１】
【００１９】
図１は、本発明に係る釘の一実施形態を示す断面図である。釘１は、頭部３、首部５、胴部６および先端部８からなる。釘の大きさは、たとえば長さＬ＝５０ｍｍ、太さＤ＝２．７５ｍｍである。さらに、釘１は、その頭部下面４の形状が、頭部上端面に対して３０度の逆円錐面の一部から形成され、この頭部下面４から首部５にかけて、その外面にシーリング剤１０が均一に付着している。首部におけるシーリング剤１０の付着長さは、首部５の頭部側端から釘の胴部半径（＝Ｄ／２）相当寸法まで付着している。シーリング剤の膜厚は０．１〜０．５ｍｍ程度である。シーリング剤の材質は、塩化ビニール樹脂、酢酸ビニール樹脂、ウレタン樹脂などを使用できる。
【００２０】
図２は、図１に示す釘１を用いて壁下地材（板材）１３を建物躯体２４に固定した壁下地材の固定構造を示す断面図である。釘１は、壁下地材１３を柱、間柱などの建物の躯体２４に固定する。壁下地材１３は、木質系の台板１６と、台板の表面に設けられた防水層１８と、この防水層１８の表面に設けられた無機質凹凸層２０とから形成される。台板は構造用合板またはＭＤＦで、その厚さはたとえば９ｍｍとする。壁下地材１３と建物の躯体２４との間には防水紙２２が設けられる。因みに、壁下地材の無機質凹凸層２０の表面にはセメント系モルタルなどが塗布される。
【００２１】
防水層１８は、ブタジエンアクリロニトリルラバー、メタクリルブチルラバーやスチレンブタジエンラバーなどのラテックスと、酢酸ビニール樹脂、塩化ビニール樹脂、アクリル樹脂、クロロピレン樹脂などの合成樹脂エマルジョンとの混合物を塗布して形成される。
【００２２】
無機質凹凸層２０は、炭酸カルシウム、珪砂などの骨材と、ポルトランドセメントや白色セメントなどのセメントと、スチレンブタジエンラバー、メタクリルブチルラバーなどのラテックスと、酢酸ビニール樹脂やアクリル樹脂のエマルジョンとの混合物を防水層の表面に凹凸状に塗布されたものである。無機質凹凸層２０の凹凸の高さ（ｈ）は最大２．５ｍｍ程度である。
【００２３】
釘１は、壁下地材１３の表面１４から躯体２４側に打ち込まれる。釘１の大きさとしては、たとえばＮ５０（ＪＩＳ  Ａ５５０８−１９９２）を使用する。釘の頭部下面４および首部５に付着していたシーリング剤１０は頭部下面４に沿うとともに頭部下面４と壁下地材１３との間に押し出され挟まれる。シーリング剤１０は、釘の頭部正面視（図２の上から下に見たとき）においては釘頭部を環状に囲うように押し出される。このシーリング剤１０の量は適正な量になるので、水の浸入を阻止するとともに釘の頭部３は壁下地材１３を躯体２４に対して確実に押圧し固定する。
【００２４】
無機質凹凸層２０は、比較的硬く、釘１が打ち込まれた際に微細な割れが発生するおそれもあるが、この部分にはシーリング剤１０が挟まれているので、たとえ微細な割れが発生しても、この微細な割れにシーリング剤１０が密着ないし浸入し塞ぐので、壁下地材１３の外側からの水が壁下地材に浸入することが阻止される。
【００２５】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００２６】
本発明の釘および板材の固定構造は、主として個別住宅や集合住宅またはビルなどの外壁に設ける下地材（板材）をその建物躯体に固定する固定手段ないし固定構造として利用可能である。
【図面の簡単な説明】
【００２７】
【図１】本発明に係る釘の一実施形態を示す断面図である。
【図２】図１に示す釘を用いて壁下地材を建物躯体に固定した壁下地材の固定構造を示す断面図である。
【符号の説明】
【００２８】
１  釘
３  頭部
４  下面
５  首部
６  胴部
１０  シーリング剤
１３  壁下地材（板材）
１４  表面
１６  台板
１８  防水層
２０  無機質凹凸層
２４  躯体
【図１】
2006226344.tif 000003
【図２】
2006226344.tif 000004